(57)【要約】【課題】画像形成装置１が画像データＩＤを生成する場合、画像データＩＤを情報処理装置３に表示することを可能にする。【解決手段】画像形成装置１は、情報処理装置３が送信する送信指示ＳＣを受信して画像データＩＤを送信するネットワーク通信部１５と、画像データＩＤを送信するＦＡＸ通信部１６と、ネットワーク通信部１５及びＦＡＸ通信部１６に対して画像データＩＤを送信させる制御部１１と、を有している。ネットワーク通信部１５が送信指示ＳＣを受信すると、ＦＡＸ通信部１６は、画像形成装置１が生成した画像データＩＤを送信先端末５へ送信し、ネットワーク通信部１５は、画像データＩＤを情報処理装置３へ送信する。これにより、情報処理装置３が画像データＩＤを表示することを可能にする。【選択図】図１
2016111537.tif 000002
【特許請求の範囲】
【請求項１】
送信指示側から伝送路を介して送られてくる送信指示を受け付けると、画像データを前記伝送路を介して送信先に送信すると共に、前記画像データを前記伝送路を介して前記送信指示側にも送信することを特徴とするデータ送受信方法。
【請求項２】
前記画像データと共に、送信履歴を前記送信指示側に送信することを特徴とする請求項１記載のデータ送受信方法。
【請求項３】
伝送路を介して送信指示側及び送信先に接続され、前記送信指示側から前記伝送路を介して送られてくる送信指示を受け付け、画像データを前記伝送路を介して前記送信指示側及び前記送信先へ送信する通信部と、
前記通信部に対し、前記送信指示に応答して前記画像データを前記送信先に送信させると共に、前記画像データを前記送信指示側にも送信させる制御部と、
を有することを特徴とするデータ送受信装置。
【請求項４】
前記通信部は、前記画像データと共に、送信履歴を前記送信指示側に送信することを特徴とする請求項３記載のデータ送受信装置。
【請求項５】
前記伝送路は、前記送信指示側の送信指示端末に接続されたネットワークと、前記送信先の送信先装置に接続された電話回線と、を有することを特徴とする請求項４記載のデータ送受信装置。
【請求項６】
請求項５記載のデータ送受信装置は、更に、
画像を読み取り前記画像データを取得するスキャナ部を有し、
前記通信部は、
前記ネットワークを介して前記送信指示端末に接続され、前記送信指示端末から送られてくる前記送信指示を受信し、前記ネットワークを介して前記送信指示端末へ前記画像データを送信するネットワーク通信部と、
前記電話回線を介して前記送信先装置に接続され、前記電話回線を介して前記送信先装置へ前記画像データのファクシミリ送信を行うファクシミリ通信部と、を有し、
前記制御部は、
前記スキャナ部、前記ネットワーク通信部、及び前記ファクシミリ通信部を制御し、前記ネットワーク通信部における前記送信指示の受信に応答し、前記画像データを前記ファクシミリ通信部へ送信させると共に、前記画像データを前記ネットワーク通信部へ送信させることを特徴とするデータ送受信装置。
【請求項７】
前記ファクシミリ通信部は、
前記電話回線を介して前記送信先装置から送られてくる前記画像データのファクシミリ受信を行い、
前記ネットワーク通信部は、
前記ネットワーク通信部が受信した前記画像データを前記送信指示端末へ送信することを特徴とする請求項６記載のデータ送受信装置。
【請求項８】
前記ネットワーク通信部は、
前記画像データを送信すると共に、受信履歴を前記送信指示端末へ送信することを特徴とする請求項７記載のデータ送受信装置。
【請求項９】
前記制御部は、
前記ネットワーク通信部に前記画像データを送信させる場合、前記画像データをＰＤＦ形式の画像データに変換し、
前記ファクシミリ通信部に前記画像データを送信させる場合、前記画像データをＭＭＲ形式で符号化を行うことを特徴とする請求項６〜８のいずれか１項に記載のデータ送受信装置。
【請求項１０】
前記送信指示端末は、プログラムに従って情報を処理する情報処理装置であることを特徴とする請求項５〜９のいずれか１項に記載のデータ送受信装置。
【請求項１１】
前記データ送受信装置は、前記ネットワークを介して前記情報処理装置に接続され、前記画像データを記録媒体に形成する画像形成装置であることを特徴とする請求項１０記載のデータ送受信装置。
【請求項１２】
前記画像形成装置は、スキャナ装置、ファクシミリ装置及びプリンタを含む複合機であることを特徴とする請求項１１記載のデータ送受信装置。
【請求項１３】
前記送信指示端末は、
前記データ送受信装置から受信した前記画像データに基づいて前記画像データを簡素化したサムネイル画像データを生成し、前記送信履歴と前記サムネイル画像データとを表示する情報処理装置であることを特徴とする請求項５〜９のいずれか１項に記載のデータ送受信装置。
【請求項１４】
前記データ送受信装置は、
前記画像データに基づいて前記画像データを簡素化したサムネイル画像データを生成して前記送信指示端末へ送信し、
前記送信指示端末は、
前記サムネイル画像データを受信し、前記送信履歴と前記サムネイル画像データとを表示する情報処理装置であることを特徴とする請求項５〜９のいずれか１項に記載のデータ送受信装置。
【発明の詳細な説明】
【技術分野】
【０００１】
本発明は、送信指示を受信すると画像を取り込んで画像データを取得し、その画像データを送信先へファクシミリ送信するデータ送受信方法及びデータ送受信装置に関するものである。
【背景技術】
【０００２】
従来、例えば、特許文献１等には、情報処理装置としての送信指示端末と、データ送受信装置と、を有する情報処理システムが記載されている。この情報処理システム内の送信指示端末は、データ送受信装置に画像データを送信してファクシミリ送信を指示する。ファクシミリ送信を指示されたデータ送受信装置は、指示された宛先に画像データをファクシミリ送信する。
【０００３】
ファクシミリ送信を指示した送信指示端末は、送信した画像データを簡素化したサムネイル画像データを生成する。この送信指示端末は、データ送受信装置にファクシミリ送信を指示した送信履歴と、サムネイル画像データと、をディスプレイ等の表示装置に表示する。これにより、送信履歴の中から所定の画像データをすばやく検索することを可能にしている。
【先行技術文献】
【特許文献】
【０００４】
【特許文献１】特開２００９−１２４３１５号公報
【発明の概要】
【発明が解決しようとする課題】
【０００５】
しかしながら、従来のデータ送受信方法及びデータ送受信装置では、データ送受信装置が画像を取り込んで画像データを取得する場合、その画像データは、送信指示端末に記憶されていない。そのため、送信指示端末が画像データを表示することができないという課題があった。
【課題を解決するための手段】
【０００６】
本発明の内の第１の発明のデータ送受信方法は、送信指示側から伝送路を介して送られてくる送信指示を受け付けると、画像データを前記伝送路を介して送信先に送信すると共に、前記画像データを前記伝送路を介して前記送信指示側にも送信することを特徴とする。
【０００７】
第２の発明のデータ送受信装置は、伝送路を介して送信指示側及び送信先に接続され、前記送信指示側から前記伝送路を介して送られてくる送信指示を受け付け、画像データを前記伝送路を介して前記送信指示側及び前記送信先へ送信する通信部と、前記通信部に対し、前記送信指示に応答して前記画像データを前記送信先に送信させると共に、前記画像データを前記送信指示側にも送信させる制御部と、を有することを特徴とする。
【発明の効果】
【０００８】
本発明のデータ送受信方法及びデータ送受信装置によれば、送信指示を受け付けると、画像データを送信先に送信すると共に、画像データを送信指示側にも送信するようにしている。そのため、送信側において、データ送受信装置が取得した画像データのサムネイル画像を生成することが可能となるので、送信履歴とサムネイル画像とを表示することができる。これにより、送信履歴の中から所定の画像データをすばやく検索することができる。
【図面の簡単な説明】
【０００９】
【図１】図１は図２中の画像形成装置１を示す機能ブロック図である。
【図２】図２は本発明の実施例１における画像処理システムを示す概略の構成図である。
【図３】図３は図２中の情報処理装置３を示す機能ブロック図である。
【図４】図４は図３中の表示部３５に表示されるサムネイル画像ＳＤ及び送信履歴ＳＨの例を示す図である。
【図５】図５は図１の画像形成装置１のデータ送受信方法を示すフローチャートである。
【図６】図６は図５中のステップＳ９における情報処理装置への送信処理の詳細を示すフローチャートである。
【図７】図７は図５中のステップＳ１〜Ｓ７の詳細を示すシーケンス図である。
【図８】図８は図５中のステップＳ８，Ｓ９の詳細を示すシーケンス図である。
【発明を実施するための形態】
【００１０】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１１】
（実施例１の構成）
図２は、本発明の実施例１における画像処理システムを示す概略の構成図である。
本実施例１における画像処理システムは、データ送受信装置としての画像形成装置１を有している。画像形成装置１は、例えば、スキャナ装置、ファクシミリ（以下「ＦＡＸ」という。）装置及びプリンタを含む複合機（Multi  Function  Printer；ＭＦＰ）である。この画像形成装置１には、ローカルエリアネットワーク（以下「ＬＡＮ」という。）２を介して送信指示端末としての情報処理装置３が接続されている。情報処理装置３は、例えば、プログラムに従って情報処理を行うパーソナルコンピュータである。画像形成装置１には、更に、電話回線としての電話回線網４を介して、送信先端末５が接続されている。送信先端末５は、例えば、ＦＡＸ装置である。
【００１２】
画像形成装置１は、情報処理装置３から送信される送信指示ＳＣ及び画像スキャン開始指示ＳＲを受信すると、電話回線網４を介して送信先端末５へ画像データＩＤを送信すると共に、ＬＡＮ２を介して情報処理装置３へ画像データＩＤを送信するように構成されている。送信指示ＳＣは、画像形成装置１に対して送信先端末５への画像データＩＤの送信を指示する命令である。画像スキャン開始指示ＳＲは、画像形成装置１に対して画像を読み込んで画像データＩＤの取得を指示する命令である。画像データＩＤは、画像形成装置１内のスキャナ装置にて画像を読み取って得られたものである。
【００１３】
図１は、図２中の画像形成装置１を示す機能ブロック図である。
画像形成装置１は、中央演算装置（以下「ＣＰＵ」という。）等により構成されて装置全体をプログラム制御する制御部１１を有している。制御部１１には、システムバスを介してスキャナ部１２、画像データ変換部１３、スプーラ部１４、ネットワーク通信部１５、及びＦＡＸ通信部１６が接続されている。
【００１４】
スキャナ部１２は、画像を読み取り画像データＩＤを取得する装置であり、画像が記録された用紙等の記録媒体を載置して給紙する自動給紙装置（Auto  Document  Feeder；ＡＤＦ）と、記録媒体を読み取るために固定するガラス台を有するフラットベッド等と、を備えている。画像データ変換部１３は、スキャナ部１２が取得した画像データＩＤをＭＭＲ（Modified  Modified  Read）形式で符号化する機能と、ＰＤＦ（Portable  Document  Format）形式に変換する機能と、を有している。ＭＭＲ形式は、ＦＡＸ符号化形式の１つである。ＰＤＦ形式は、Adobe  Systems社によって開発された電子文書のためのフォーマットである。スプーラ部１４は、画像データ変換部１３によって変換された画像データＩＤを一時的に保存するための装置であり、例えば、揮発性メモリであるＳＤＲＡＭ（Synchronous  Dynamic  Random  Access  Memory）により構成されている。
【００１５】
ネットワーク通信部１５は、ＬＡＮ２に接続されて制御部１１等と図２の情報処理装置３とを通信可能に接続する装置であり、例えば、ＵＳＢ（Universal  Serial  Bus）規格のインタフェース（以下「Ｉ／Ｆ」という。）や、ＴＣＰ／ＩＰ（Transport  Control  Protocol/Internet  Protocol）規格のＩ／Ｆ等により構成されている。ネットワーク通信部１５は、情報処理装置３が送信する送信指示ＳＣ及び画像スキャン開始指示ＳＲを受信し、情報処理装置３へ画像データＩＤを送信する機能を有している。この画像データＩＤの送信は、例えば、ファイル共有を行うための通信規格であるＳＭＢ（Server  Message  Block）や、このＳＭＢを拡張した通信規格であるＣＩＦＳ（Common  Internet  File  System）に従って行われる。このＳＭＢ及びＣＩＦＳは、情報処理装置３に対してファイル書き込み等の指示を示すコマンド情報と、そのコマンド情報に対して処理が成功したか否かを示すステータス情報と、を有している。
【００１６】
ＦＡＸ通信部１６は、電話回線網４に接続されて制御部１１等と図２の送信先端末５とを通信可能に接続する装置であり、例えば、Ｇ３ＦＡＸ規格のＦＡＸモデムにより構成されている。ＦＡＸ通信部１６は、送信先端末５へ画像データＩＤを送信する機能を有している。
【００１７】
図３は、図２中の情報処理装置３を示す機能ブロック図である。
情報処理装置３は、ＣＰＵ等により構成されて装置全体をプログラム制御する制御部３１を有している。制御部３１は、送信指示ＳＣ及び画像スキャン開始指示ＳＲを生成する機能と、受信した画像データＩＤに基づき画像データＩＤを簡素化したサムネイル画像データＳＤを生成する機能と、画像データＩＤを受信した時刻等の情報から送信履歴ＳＨを生成する機能と、を有している。制御部３１には、システムバスを介して操作部３２、記憶部３３、ネットワーク通信部３４、及び表示部３５が接続されている。
【００１８】
操作部３２は、制御部３１に対して情報処理装置３全体をユーザが操作するための装置であり、例えば、キーボード及びマウス等により構成されている。記憶部３３は、受信した画像データＩＤと、制御部３１が生成したサムネイル画像データＳＤ及び送信履歴ＳＨと、を記憶するための装置であり、例えば、ＲＯＭ（Read  Only  Memory）、ＲＡＭ（Random  Access  Memory）、又はハードディスク等により構成されている。
【００１９】
ネットワーク通信部３４は、ＬＡＮ２に接続されて制御部３１等と画像形成装置１とを通信可能に接続する装置であり、例えば、ＵＳＢ規格のＩ／Ｆや、ＴＣＰ／ＩＰ規格のＩ／Ｆ等により構成されている。ネットワーク通信部３４は、送信指示ＳＣ及び画像スキャン開始指示ＳＲを画像形成装置１へ送信し、画像形成装置１から画像データＩＤを受信する機能を有している。この送信指示ＳＣ及び画像スキャン開始指示ＳＲの送信は、例えば、インターネットを介して印刷指示を行うための通信規格であるＩＰＰ（Internet  Printing  Protocol）を拡張した「ＩＰＰ  Ｆａｘｏｕｔ  Ｓｅｒｖｉｃｅ」に従って行われる。このＩＰＰは、インターネットを介した情報通信規格であるＨＴＴＰ（HyperText  Transfer  Protocol）を拡張したものであり、ＨＴＴＰにおけるコマンド情報の１つであるＰＯＳＴメソッドを使用して送受信されるものである。「ＩＰＰ  Ｆａｘｏｕｔ  Ｓｅｒｖｉｃｅ」は、画像形成装置１に対して画像データＩＤ生成等の指示を示すコマンド情報と、そのコマンド情報に対して処理が成功したか否かを示すステータス情報と、を有している。
【００２０】
表示部３５は、ユーザの操作により記憶部３３に記憶されたサムネイル画像データＳＤ及び送信履歴ＳＨを表示する機能を有し、例えば、液晶ディスプレイ等により構成されている。
【００２１】
図４は、図３中の表示部３５に表示されるサムネイル画像ＳＤ及び送信履歴ＳＨの例を示す図である。
【００２２】
表示部３５には、例として３つの送信履歴番号３５ａと、この送信履歴番号３５ａに対応する３つのサムネイル画像ＳＤ及び送信履歴ＳＨと、が表示されている。送信履歴番号３５ａは、ネットワーク通信部３４が画像データＩＤを受信したときに付与される番号である。送信履歴番号３５ａは、表示部３５の上方に表示されるものであり、例えば「１」、「２」、「３」が表示されている。サムネイル画像ＳＤは、表示部３５の中央に表示されるものであり、ネットワーク通信部３４が画像データＩＤを受信したときに制御部３１によって生成されて記憶部３３に記憶されたものが表示されている。送信履歴ＳＨは、表示部３５の下方に表示されるものであり、ネットワーク通信部３４が画像データＩＤを受信したときに制御部３１によって生成されて記憶部３３に記憶されたものが表示されている。
【００２３】
（実施例１のデータ送受信方法）
図５は、図１の画像形成装置１のデータ送受信方法を示すフローチャートである。
【００２４】
図３及び図５を参照しつつ、図１の画像形成装置１のデータ送受信方法を説明する。
図３の制御部３１は、ユーザの操作に基づき、送信指示ＳＣ及び画像スキャン開始指示ＳＲを生成する。生成された送信指示ＳＣ及び画像スキャン開始指示ＳＲは、ネットワーク通信部３４により画像形成装置１へ送信され、図５のステップＳ１へ進む。ステップＳ１において、図１のネットワーク通信部１５は、送信指示ＳＣを受信し、ステップＳ２へ進む。ステップＳ２において、ネットワーク通信部１５は、画像スキャン開始指示ＳＲを受信し、ステップＳ３へ進む。
【００２５】
ステップＳ３において、スキャナ部１２は、自動給紙装置に載置された記録媒体をフラットベッドへ給紙する。記録媒体に記録された画像は、フラットベッドにより読み取られて画像データＩＤが取得され、ステップＳ４へ進む。ステップＳ４において、画像データ変換部１３は、スキャナ部１２が取得した画像データＩＤをＭＭＲ形式で符号化し、ステップＳ５へ進む。ステップＳ５において、制御部１１は、画像データ変換部１３が符号化した画像データＩＤをスプーラ部１４に記憶させ、ステップＳ６へ進む。
【００２６】
ステップＳ６において、スキャナ部１２は、記録媒体が自動給紙装置に載置されているか否かを判定する。記録媒体が自動給紙装置に載置されていると判定された場合（ＹＥＳ）、ステップＳ３へ進み、記録媒体が自動給紙装置に載置されていないと判定された場合（ＮＯ）、ステップＳ７へ進む。
【００２７】
ステップＳ７において、ＦＡＸ通信部１６は、スプーラ部１４に記憶されたＭＭＲ形式で符号化された画像データＩＤを送信先端末５へＦＡＸ送信し、ステップＳ８へ進む。ステップＳ８において、ＦＡＸ通信部１６は、送信先端末５へのＦＡＸ送信が成功したか否かを判定する。ＦＡＸ送信が成功したと判定された場合（ＹＥＳ）、ステップＳ９へ進み、ＦＡＸ送信が失敗したと判定された場合（ＮＯ）、ステップＳ１０へ進む。
【００２８】
ステップＳ９において、制御部１１、画像データ変換部１３及びネットワーク通信部１５は、情報処理装置への送信処理を行い、処理を終了する。ステップＳ１０において、制御部１１は、スプーラ部１４に記憶されたＭＲ形式で符号化後の画像データＩＤを削除し、処理を終了する。
【００２９】
図６は、図５中のステップＳ９の情報処理装置への送信処理の詳細を示すフローチャートである。
【００３０】
図５のステップＳ９の情報処理装置への送信処理が開始されると、図６のステップＳ９１へ進む。ステップＳ９１において、画像データ変換部１３は、スプーラ部１４に記憶された画像データＩＤをＰＤＦ形式に変換し、ステップＳ９２へ進む。ステップＳ９２において、ネットワーク通信部１５は、ＰＤＦ形式に変換後の画像データＩＤを情報処理装置３へ送信し、ステップＳ９３へ進む。ステップＳ９３において、制御部１１は、スプーラ部１４に記憶されたＰＤＦ形式に変換後の画像データＩＤを削除し、処理を終了する。
【００３１】
図７は、図５中のステップＳ１〜Ｓ７の詳細を示すシーケンス図である。
図３及び図７を参照しつつ、図１の画像形成装置１における画像データＩＤのＦＡＸ送信処理を説明する。
【００３２】
時刻Ｔ１において、図３のネットワーク通信部３４は、「ＩＰＰ  Ｆａｘｏｕｔ  Ｓｅｒｖｉｃｅ」における送信情報生成指示を示す「Ｏｐｅｒａｔｉｏｎ−ＩＤ：Ｃｒｅａｔｅｊｏｂ」を送信する。この送信は、ＨＴＴＰのＰＯＳＴメソッドを使用して行われる。時刻Ｔ２において、図１のネットワーク通信部１５は、「ＩＰＰ  Ｆａｘｏｕｔ  Ｓｅｒｖｉｃｅ」における処理成功の応答情報を示す「Ｓｔａｔｕｓ−ｃｏｄｅ：Ｓｕｃｃｅｓｓｆｕｌ−ＯＫ」を送信する。
【００３３】
時刻Ｔ３において、ネットワーク通信部３４は、「ＩＰＰ  Ｆａｘｏｕｔ  Ｓｅｒｖｉｃｅ」における画像読み取り指示を示す「Ｏｐｅｒａｔｉｏｎ−ＩＤ：Ｓｅｎｄ−Ｈａｒｄｃｏｐｙ−Ｄｏｃｕｍｅｎｔ」を送信する。この送信は、ＨＴＴＰのＰＯＳＴメソッドを使用して行われる。時刻Ｔ４において、ネットワーク通信部１５は、「ＩＰＰ  Ｆａｘｏｕｔ  Ｓｅｒｖｉｃｅ」における処理成功の応答情報を示す「Ｓｔａｔｕｓ−ｃｏｄｅ：Ｓｕｃｃｅｓｓｆｕｌ−ＯＫ」を送信する。
【００３４】
時刻Ｔ５において、スキャナ部１２は、自動給紙装置に載置された記録媒体をフラットベッドへ給紙し、フラットベッドにより画像を読み取って画像データＩＤを取得する。時刻Ｔ６において、画像データ変換部１３は、スキャナ部１２が取得した画像データＩＤをＭＭＲ形式で符号化する。時刻Ｔ７において、制御部１１は、画像データ変換部１３が符号化した画像データＩＤをスプーラ部１４に記憶する。
【００３５】
更に、時刻Ｔ８において、ＦＡＸ通信部１６は、スプーラ部１４に記憶されたＭＲ形式で符号化後の画像データＩＤを送信先端末５へＦＡＸ送信を行い、ＦＡＸ送信処理を終了する。
【００３６】
図８は、図５中のステップＳ８，Ｓ９の詳細を示すシーケンス図である。
図３及び図８を参照しつつ、図１の画像形成装置１における画像データＩＤの送信処理を説明する。
【００３７】
時刻Ｔ１１において、図１の画像データ変換部１３は、スプーラ部１４に記憶されたＭＭＲ符号化された画像データＩＤをＰＤＦ形式に変換する。時刻Ｔ１２において、ネットワーク通信部１５は、ＳＭＢにおけるファイルオープン指示を示す「ＳＭＢ＿ＣＯＭ＿ＮＴ＿ＣＲＥＡＴＥ＿ＡＮＤＸ」を送信する。時刻Ｔ１３において、図３のネットワーク通信部３４は、ＳＭＢにおける処理成功の応答情報を示す「ＳＴＡＴＵＳ＿ＳＵＣＣＥＳＳ」を送信する。
【００３８】
時刻Ｔ１４において、ネットワーク通信部１５は、ＳＭＢにおけるファイル書き込み指示を示す「ＳＭＢ＿ＣＯＭ＿ＷＲＩＴＥ＿ＡＮＤＸ」を送信する。時刻Ｔ１５において、ネットワーク通信部３４は、ＳＭＢにおける処理成功の応答情報を示す「ＳＴＡＴＵＳ＿ＳＵＣＣＥＳＳ」を送信する。時刻Ｔ１６において、ネットワーク通信部１５は、スプーラ部１４に記憶されたＰＤＦ形式に変換後の画像データＩＤを情報処理装置３へ送信する。
【００３９】
時刻Ｔ１７において、ネットワーク通信部１５は、ＳＭＢにおけるファイルクローズ指示を示す「ＳＭＢ＿ＣＯＭ＿ＣＬＯＳＥ」を送信する。時刻Ｔ１８において、ネットワーク通信部３４は、ＳＭＢにおける処理成功の応答情報を示す「ＳＴＡＴＵＳ＿ＳＵＣＣＥＳＳ」を送信する。
【００４０】
時刻Ｔ１９において、制御部１１は、スプーラ部１４に記憶されたＰＤＦ形式に変換された後の画像データＩＤを削除し、画像データＩＤの送信処理を終了する。
【００４１】
その後、制御部３１は、受信した画像データＩＤに基づきサムネイル画像データＳＤを生成すると共に、画像データＩＤを受信した時刻等の情報から送信履歴ＳＨを生成し、記憶部３３に記憶させる。これにより、ユーザの操作に基づいて、図４に示すサムネイル画像ＳＤ及び送信履歴ＳＨが表示部３５に表示される。
【００４２】
（実施例１の効果）
本実施例１のデータ送受信方法及び画像形成装置１によれば、情報処理装置３から送信された送信指示ＳＣ及び画像スキャン開始指示ＳＲを受信すると、ＦＡＸ通信部１６は、電話回線網４を介して送信先端末５へ画像データＩＤを送信する。ＦＡＸ通信部１６による画像データＩＤの送信の後、ネットワーク通信部１５は、ＬＡＮ２を介して情報処理装置３へ画像データＩＤを送信する。情報処理装置３は、画像データＩＤに基づきサムネイル画像データＳＤ及び送信履歴ＳＨを生成し、表示部３５に表示させる。これにより、送信履歴ＳＨの中から所定の画像データＩＤをすばやく検索することができる。
【００４３】
（変形例）
本発明は、上記実施例１に限定されず、種々の利用形態や変形が可能である。この利用形態や変形例としては、例えば、次の（ａ）〜（ｇ）のようなものがある。
【００４４】
（ａ）  実施例１では、情報処理装置３に画像データＩＤが送信されると、制御部３１がサムネイル画像データＳＤ及び送信履歴ＳＨを生成する構成としたが、ユーザの操作に基づいて、送信履歴ＳＨを表示する際に画像データＩＤからサムネイル画像データＳＤが生成される構成に変更してもよい。このように変更しても、実施例１と同様の効果が得られる。
【００４５】
（ｂ）  実施例１では、画像形成装置１のネットワーク通信部１５が画像データＩＤを送信する際、ＳＭＢ及びＣＩＦＳに従って送信する構成としたが、ＬＡＮ２を介してファイルを保存する通信規格であれば、例えば、ＦＴＰ（File  Transfer  Protocol）等の他の通信規格に従って送信する構成に変更してもよい。このように変更しても、実施例１と同様の効果が得られる。
【００４６】
（ｃ）  実施例１では、情報処理装置３の制御部３１が画像データＩＤを受信した時刻等の情報から送信履歴ＳＨを生成する構成としたが、画像形成装置１が画像データＩＤを送信した送信日時やＦＡＸ番号等の送信先の情報等を有する送信履歴ＳＨを送信する構成に変更してもよい。このように変更しても、実施例１と同様の効果が得られる。
【００４７】
（ｄ）  実施例１では、情報処理装置３に画像データＩＤが送信されると、制御部３１がサムネイル画像データＳＤを生成する構成としたが、画像形成装置１が画像データＩＤに基づいてサムネイル画像データＳＤを生成し、情報処理装置３にサムネイル画像データＳＤを送信する構成に変更してもよい。このように変更しても、実施例１と同様の効果が得られる。
【００４８】
（ｅ）  実施例１では、画像形成装置１は制御部１１、スキャナ部１２、画像データ変換部１３、スプーラ部１４、ネットワーク通信部１５、及びＦＡＸ通信部１６を備える構成としたが、この画像形成装置１を他の構成にしてもよい。又、情報処理装置３は制御部３１、操作部３２、記憶部３３、ネットワーク通信部３４、及び表示部３５を備える構成としたが、この情報処理装置３を他の構成にしてもよい。
【００４９】
（ｆ）  実施例１では、情報処理端末３は送信履歴ＳＨとサムネイル画像データＳＤとを表示する構成としたが、画像形成装置１が受信した受信履歴とサムネイル画像データとを表示させる構成にしてもよい。
【００５０】
（ｇ）  実施例１では、画像形成装置１としてスキャナ装置、ＦＡＸ装置及びプリンタを含む複合機を例に説明したが、スキャナ装置、ファクシミリ装置等の他の装置においても使用可能である。
【符号の説明】
【００５１】
１  画像形成装置
２  ＬＡＮ
３  情報処理装置
４  電話回線網
５  送信先端末
１１  制御部
１２  スキャナ部
１５  ネットワーク通信部
１６  ＦＡＸ通信部
ＩＤ  画像データ
ＳＣ  送信指示
ＳＤ  サムネイル画像データ
ＳＨ  送信履歴
【図１】
2016111537.tif 000003
【図２】
2016111537.tif 000004
【図３】
2016111537.tif 000005
【図４】
2016111537.tif 000006
【図５】
2016111537.tif 000007
【図６】
2016111537.tif 000008
【図７】
2016111537.tif 000009
【図８】
2016111537.tif 000010